(57)【要約】    【課題】  音鳴りを防ぐゴルフクラブ及びゴルフクラブ用の錘部材を提供する。    【解決手段】  第１端２ａと第２端とを有しかつ内部に空間ｉを有するシャフト２と、錘部材５と、グリップ４とを含むゴルフクラブ１である。錘部材５は、金属製の錘本体１０と、錘本体１０を被覆するゴム状弾性体からなるカバー２０とを含む。カバー２０は、錘本体１０の外周面の全域を覆う側部カバー２１と、側部カバー２１に連なりかつ錘本体１０の第１端面を覆う第１端部カバー２２と、シャフト半径方向の外側に突出するフランジ部２３とを含む。錘部材５は、側部カバー２１がシャフト２の空間ｉ内に配され、かつ、フランジ部２３がシャフト２の外部で第１端２ａと係合するように、シャフト２に装着される。【選択図】  図２
2020178968.tif 000002
【特許請求の範囲】
【請求項１】
ゴルフクラブであって、
第１端と第２端とを有しかつ内部に空間を有するパイプ状のシャフトと、前記シャフトの第１端の側に装着された錘部材と、前記シャフト及び前記錘部材を覆うように前記第１端の側に設けられたグリップとを含み、
前記錘部材は、金属製の錘本体と、前記錘本体を被覆するゴム状弾性体からなるカバーとを含み、
前記錘本体は、前記シャフトの第１端の側に位置する第１端面と、前記シャフトの前記第２端の側に位置する第２端面と、これらの間をシャフト軸方向に延びる外周面とを有し、
前記カバーは、前記錘本体の前記外周面の全域を覆う側部カバーと、前記側部カバーに連なりかつ前記錘本体の前記第１端面を覆う第１端部カバーと、シャフト半径方向の外側に突出するフランジ部とを含み、
前記錘部材は、前記側部カバーが前記シャフトの前記空間内に配され、かつ、前記フランジ部が前記シャフトの外部で前記第１端と係合するように、前記シャフトに装着されている、
ゴルフクラブ。
【請求項２】
前記側部カバーは、前記シャフトに装着される前の状態において、実質的に一定の外径でシャフト軸方向に延びる等径部と、前記等径部よりも前記シャフトの前記第２端の側に位置し、かつ、前記第２端に向かって先細となるテーパ部とを含む、請求項１に記載のゴルフクラブ。
【請求項３】
前記錘部材は、シャフト軸方向に延びる貫通孔が形成されている、請求項１又は２に記載のゴルフクラブ。
【請求項４】
前記カバーは、前記錘本体の前記第２端面を覆う第２端部カバーをさらに含む、請求項１ないし３のいずれかに記載のゴルフクラブ。
【請求項５】
前記ゴム状弾性体は、ＪＩＳ−Ａ硬さが５０〜７０度である、請求項１ないし４のいずれかに記載のゴルフクラブ。
【請求項６】
前記カバーの前記フランジ部は、前記シャフトの前記第１端と前記グリップとの間で挟まれている、請求項１ないし５のいずれかに記載のゴルフクラブ。
【請求項７】
前記フランジ部のシャフト軸方向の厚さが２〜６mmである、請求項１ないし６のいずれかに記載のゴルフクラブ。
【請求項８】
前記シャフトに装着される前の状態において、前記側部カバーの表面には、前記側部カバーの変形を促進するための凹凸部が形成されている、請求項１ないし７のいずれかに記載のゴルフクラブ。
【請求項９】
前記凹凸部は、少なくとも１本の溝を含む、請求項８に記載のゴルフクラブ。
【請求項１０】
前記凹凸部は、複数の突起を含む、請求項８又は９に記載のゴルフクラブ。
【請求項１１】
前記シャフトに装着された状態において、前記側部カバーの前記凹凸部は、前記シャフトの前記空間内で前記シャフトの内周面と接触して圧縮弾性変形している、請求項８乃至１０のいずれかに記載のゴルフクラブ。
【請求項１２】
前記側部カバーのシャフト軸方向の長さが５０mm以下である、請求項１ないし１１のいずれかに記載のゴルフクラブ。
【請求項１３】
ゴルフクラブ用の錘部材であって、
前記錘部材は、第１端と第２端とを有しかつ内部に空間を有するパイプ状のシャフトの前記第１端の側に装着されるものであり、
前記錘部材は、金属製の錘本体と、前記錘本体を被覆するゴム状弾性体からなるカバーとを含み、
前記錘本体は、第１端面と、第２端面と、これらの間を延びる外周面とを有し、
前記カバーは、前記錘本体の前記外周面の全域を覆う側部カバーと、前記側部カバーに連なりかつ前記錘本体の前記第１端面を覆う第１端部カバーと、シャフト半径方向の外側に突出するフランジ部とを含み、
前記錘部材は、前記側部カバーが前記シャフトの前記空間内に配置可能な外径を有し、かつ、前記フランジ部が前記シャフトの外部で前記第１端と係合するような外径を有する、
ゴルフクラブ用の錘部材。
【請求項１４】
前記側部カバーは、実質的に一定の外径で軸方向に延びる等径部と、前記等径部よりも前記第２端面の側に位置し、かつ、前記第２端面側に向かって先細となるテーパ部とを含む、請求項１３に記載のゴルフクラブ用の錘部材。
【発明の詳細な説明】
【技術分野】
【０００１】
本発明は、ゴルフクラブ及びゴルフクラブ用の錘部材に関する。
【背景技術】
【０００２】
ゴルフクラブのクラブバランスは、スイングに影響を与える。ゴルファに適したクラブバランスは、ゴルファそれぞれの力量等に応じて異なる。クラブバランスを調整するために、例えば、金属製の重量体をゴルフクラブのシャフトのグリップ側の端部に装着することが、例えば、下記特許文献１ないし２で提案されている。
【先行技術文献】
【特許文献】
【０００３】
【特許文献１】特許第４６９３１３３号公報
【特許文献２】特許第５７５２４１１号公報
【発明の概要】
【発明が解決しようとする課題】
【０００４】
ゴルフクラブでボールを打撃した場合、又は、ゴルフクラブを、そのゴルフクラブヘッドを持ってグリップを地面に衝突させた場合、シャフトには振動が発生する。この振動により、前記重量体がシャフトの内周面やグリップの貫通孔を閉じるためのキャップ等に接触し、びびり音等の異音を発生させるという問題があった。
【０００５】
本発明は、以上のような実情に鑑み案出なされたもので、上述のような異音等の発生を防止することができるゴルフクラブ及びゴルフクラブ用の錘部材を提供することを主たる課題としている。
【課題を解決するための手段】
【０００６】
本発明の一態様では、ゴルフクラブであって、第１端と第２端とを有しかつ内部に空間を有するパイプ状のシャフトと、前記シャフトの第１端の側に装着された錘部材と、前記シャフト及び前記錘部材を覆うように前記第１端の側に設けられたグリップとを含み、前記錘部材は、金属製の錘本体と、前記錘本体を被覆するゴム状弾性体からなるカバーとを含み、前記錘本体は、前記シャフトの第１端の側に位置する第１端面と、前記シャフトの前記第２端の側に位置する第２端面と、これらの間をシャフト軸方向に延びる外周面とを有し、前記カバーは、前記錘本体の前記外周面の全域を覆う側部カバーと、前記側部カバーに連なりかつ前記錘本体の前記第１端面を覆う第１端部カバーと、シャフト半径方向の外側に突出するフランジ部とを含み、前記錘部材は、前記側部カバーが前記シャフトの前記空間内に配され、かつ、前記フランジ部が前記シャフトの外部で前記第１端と係合するように、前記シャフトに装着されている、ゴルフクラブである。
【０００７】
本発明の他の態様では、前記側部カバーは、前記シャフトに装着される前の状態において、実質的に一定の外径でシャフト軸方向に延びる等径部と、前記等径部よりも前記シャフトの前記第２端の側に位置し、かつ、前記第２端に向かって先細となるテーパ部とを含むことができる。
【０００８】
本発明の他の態様では、前記錘部材は、シャフト軸方向に延びる貫通孔が形成されていても良い。
【０００９】
本発明の他の態様では、前記カバーは、前記錘本体の前記第２端面を覆う第２端部カバーをさらに含むことができる。
【００１０】
本発明の他の態様では、前記ゴム状弾性体は、ＪＩＳ−Ａ硬さが５０〜７０度で構成されても良い。
【００１１】
本発明の他の態様では、前記カバーの前記フランジ部は、前記シャフトの前記第１端と前記グリップとの間で挟まれていても良い。
【００１２】
本発明の他の態様では、前記フランジ部のシャフト軸方向の厚さが２〜６mmであっても良い。
【００１３】
本発明の他の態様では、前記側部カバーの表面には、前記側部カバーの変形を促進するための凹凸部が形成されていても良い。
【００１４】
本発明の他の態様では、前記凹凸部は、少なくとも１本の溝を含むことができる。
【００１５】
本発明の他の態様では、前記凹凸部は、複数の突起を含むことができる。
【００１６】
本発明の他の態様では、前記シャフトに装着された状態において、前記側部カバーの前記凹凸部は、前記シャフトの前記空間内で前記シャフトの内周面と接触して圧縮弾性変形していても良い。
【００１７】
本発明の他の態様では、前記側部カバーのシャフト軸方向の長さが５０mm以下であっても良い。
【００１８】
本発明の他の態様は、ゴルフクラブ用の錘部材であって、前記錘部材は、第１端と第２端とを有しかつ内部に空間を有するパイプ状のシャフトの前記第１端の側に装着されるものであり、前記錘部材は、金属製の錘本体と、前記錘本体を被覆するゴム状弾性体からなるカバーとを含み、前記錘本体は、第１端面と、第２端面と、これらの間を延びる外周面とを有し、前記カバーは、前記錘本体の前記外周面の全域を覆う側部カバーと、前記側部カバーに連なりかつ前記錘本体の前記第１端面を覆う第１端部カバーと、シャフト半径方向の外側に突出するフランジ部とを含み、前記錘部材は、前記側部カバーが前記シャフトの前記空間内に配置可能な外径を有し、かつ、前記フランジ部が前記シャフトの外部で前記第１端と係合するような外径を有する、ゴルフクラブ用の錘部材である。
【発明の効果】
【００１９】
本発明のゴルフクラブ及びゴルフクラブ用の錘部材は、この錘部材に起因した異音の発生を防止することができる。
【図面の簡単な説明】
【００２０】
【図１】本発明の一実施形態を示すゴルフクラブの斜視図である。
【図２】ゴルフクラブのグリップ側の部分断面図である。
【図３】錘部材の一実施形態を示す斜視図である。
【図４】錘部材の一実施形態を示す断面図である。
【図５】シャフトと錘部材とを分離して示す側面図である。
【図６】錘部材の変形例を示す側面図（一部断面図）である。
【図７】錘部材のさらに他の変形例を示す側面図（一部断面図）である。
【発明を実施するための形態】
【００２１】
以下、本発明の実施の一形態が図面に基づき説明される。全ての実施形態を通して、同一の部材ないし部分については、同じ符号が付されており、重複する説明は省略される。
【００２２】
図１は、本発明の一実施形態を示すゴルフクラブ１の斜視図である。図１に示されるように、ゴルフクラブ１は、シャフト２と、ゴルフクラブヘッド３と、グリップ４と、錘部材５とを含む。
【００２３】
図２には、図１のグリップ４側の断面図（シャフト軸中心線を含む断面図）が示されている。図１及び図２に示されるように、シャフト２は、内部に空間ｉを有するパイプ状である。より詳細には、シャフト２は、シャフト軸方向と直交する横断面において、その外周面２ｏ及び内周面２ｉはともに円形である。したがって、シャフト２は、円筒形状である。シャフト２は、例えば、繊維強化樹脂又は金属材料で構成されても良い。
【００２４】
シャフト２は、シャフト軸方向において、第１端２ａと第２端２ｂとを有する。本実施形態において、シャフト２は、第１端２ａから第２端２ｂに向かって外径及び内径がともに漸減するテーパ状に形成されている。なお、シャフトの第１端２ａの側を「後端側」、シャフト２の第２端２ｂの側を「先端側」と呼ぶ場合がある。
【００２５】
ゴルフクラブヘッド３は、ボールを打撃するためのもので、シャフト２の第２端２ｂに固着されている。ゴルフクラブヘッド３は、例えば、ウッド型として構成される。他の態様では、ゴルフクラブヘッド３は、アイアン型、ハイブリッド型又はパター型で構成されても良い。
【００２６】
グリップ４は、シャフト２の第１端２ａ側に固着されている。グリップ４は、例えば、ゴルファが握る部分である筒状の把持部４ａと、把持部４ａの一端側に設けられた端面４ｂとを含む。把持部４ａは、略円筒形状であり、より詳細には、端面４ｂから離れるにしたがい先細となるテーパ状とされている。また、把持部４ａの他端側は、シャフト２が差し込む可能なように開口（図示省略）とされている。なお、端面４ｂには、上記差込時の空気を抜くための貫通孔４ｃが設けられている。
【００２７】
グリップ４の材料は特に限定されないが、例えば、ゴムが好ましい。例えば、天然ゴム、スチレンブタジエンゴム、ＥＰＤＭ、イソプレンゴム及びこれらの混合物が好ましい。グリップ８の成形性の観点から、ＥＰＤＭ及びスチレンブタジエンゴムがさらに好ましい。
【００２８】
錘部材５は、シャフト２の第１端２ａの側に装着されている。したがって、錘部材５は、シャフト２のゴルフクラブヘッド３とは反対側に設けられる。このような錘部材５は、カウンターバランスのゴルフクラブ１を提供するのに役立つ。
【００２９】
錘部材５は、金属製の錘本体１０と、ゴム状弾性体からなるカバー２０とを含んで構成される。このような錘部材５は、各種の成形法（インジェクション成形、プレス成形等）により、例えば、一体成形することができる。
【００３０】
錘本体１０の金属材料は、特に限定されるものではないが、小さい体積で十分なカウンターバランス効果を得るために、比重が５．０以上、より好ましくは７．０以上、さらに好ましくは８．０以上のものが好適である。本実施形態では、錘本体１０として真鍮が用いられている。錘本体１０の重量も、特に限定されるものではないが、例えば、５〜１０ｇ程度が望ましい。
【００３１】
錘本体１０は、第１端面１１と、第２端面１２と、外周面１３とを含む。シャフト軸方向において、第１端面１１は、第１端２ａの側に位置し、第２端面１２は、第２端２ｂの側に位置する。本実施形態において、第１端面１１及び第２端面１２は、いずれもシャフト軸方向と直角な平らな面で形成されているが、このような態様に限定されるものではない。
【００３２】
図３及び図４には、シャフト２に装着される前の状態の錘本体１０の一実施形態の斜視図及び断面図が示されている。図３及び図４に示されるように、錘本体１０の外周面１３は、例えば、シャフト軸方向に沿って延びる円筒面である。さらに、錘本体１０には、シャフト軸方向に延びる中心貫通孔１４が形成されている。したがって、本実施形態の錘本体１０は、円筒形状に形成されている。
【００３３】
カバー２０は、錘本体１０を被覆するもので、ゴム状弾性体からなる。ゴム状弾性体は、ゴム弾性を有する材料であり、加硫ゴムの他、樹脂系材料も含む。本実施形態のカバー２０は、加硫ゴムで構成されている。
【００３４】
カバー２０は、例えば、側部カバー２１と、第１端部カバー２２と、フランジ部２３とを含む。
【００３５】
側部カバー２１は、錘本体１０の外周面１３の全域を覆うように構成されている。側部カバー２１は、例えば、錘本体１０の外周面１３の円周方向及びシャフト軸方向の全表面を覆うように円筒状に構成されている。
【００３６】
第１端部カバー２２は、例えば、側部カバー２１に連なり、かつ、錘本体１０の第１端面１１を覆うように構成されている。本実施形態において、第１端部カバー２２は、錘本体１０の第１端面１１の表面全域を覆っている。また、第１端部カバー２２には、錘本体１０の中心貫通孔１４に対応して、第１貫通孔２５が形成されている。これにより、錘部材５には、シャフト軸方向に延びる貫通孔３０が形成される。なお、第１貫通孔２５は、錘本体１０の中心貫通孔１４に一致する内径とされているが、それよりも小さくても良い。
【００３７】
フランジ部２３は、例えば、第１端部カバー２２側でシャフト半径方向の外側に突出している。すなわち、本実施形態のフランジ部２３の外径Ｄ３（図５に示す）は、側部カバー２１の外径よりも大きく形成されている。フランジ部２３は、シャフト円周方向に連続する環状体とされている。
【００３８】
次に、錘部材５をゴルフクラブ１へ装着する方法について説明する。先ず、グリップ４が装着されていないシャフト２が準備される。シャフト２には、予め、ゴルフクラブヘッド３が装着されていても良い。
【００３９】
次に、シャフト２の第１端２ａ側に、錘部材５が挿入される。この際、錘部材５は、図２に示されるように、側部カバー２１が、シャフト２の空間ｉに配置され、かつ、フランジ部２３が、シャフト２の外部でシャフト２の第１端２ａと係合するように装着される。換言すれば、錘部材５において、側部カバー２１は、シャフト２の空間ｉ内に配置可能な外径であり、かつ、フランジ部２３がシャフト２の外部で第１端２ａと係合するような外径とされる。なお、側部カバー２１は、シャフト２の内周面２ｉに接触しても良いし、離間していても良い。
【００４０】
次に、グリップ４が、シャフト２の第１端２ａ側に差し込まれる。これにより、錘部材５が、ゴルフクラブ１に装着される。
【００４１】
以上のように構成されたゴルフクラブ１の作用について説明する。
【００４２】
錘部材５が、シャフト２の第１端２ａ側に装着されるので、カウンターバランスのゴルフクラブ１を容易に提供することができる。また、重量が異なる複数種類の錘部材５を準備し、その中から、ゴルファに応じた重量の錘部材５を装着することで、各ゴルファに最適化されたスイングバランスのゴルフクラブ１を簡単に製造することができる。
【００４３】
また、ゴルフクラブ１でボールを打撃した場合など、シャフト２に振動が発生するが、錘本体１０の外周面１３は、側部カバー２１の存在により、シャフト２の内周面２ｉには直接接触しない。同様に、金属製の錘本体１０の第１端面１１も、第１端部カバー２２の存在により、グリップ等に直接接触しない。したがって、本実施形態のゴルフクラブ１は、何らかの要因でシャフト２に振動が生じたときでも、錘部材５に起因するびびり音等の異音の発生が抑制される。
【００４４】
また、側部カバー２１及び第１端部カバー２２は、ゴム状弾性体からなるため、シャフト２及び／又はグリップ４に接触したとしても、それらの振動を吸収し、ゴルフクラブ１の使用フィーリングを向上させることができる。
【００４５】
さらに、図２に示されるように、錘部材５は、外径の大きいフランジ部２３がシャフト２の外部でシャフト２の第１端２ａと係合することにより、ゴルフクラブ１の使用中に錘部材５がシャフト内部への過度に入り込むこと（以下、単に「入り込み」という。）が防止される。これは、錘部材５の位置を安定させ、予期せずにスイングバランスが変動するのを防止することができる。
【００４６】
また、本実施形態の錘部材５は、シャフト軸方向に延びる貫通孔３０が形成されているため、ゴルフクラブ１の製造工程において、シャフト２の内部の空気を排出しながらシャフト２の空間ｉに装着でき、作業性が向上する。
【００４７】
図５には、シャフト２と、シャフト２への装着前の錘部材５とが示されている。図３ないし５に示されるように、好ましい態様では、側部カバー２１は、シャフト２に装着される前の状態において、例えば、等径部２１ａと、テーパ部２１ｂとを含むことができる。
【００４８】
等径部２１ａは、実質的に一定の外径Ｄ１でシャフト軸方向に延びている。等径部２１ａは、例えば、フランジ部２３からシャフト軸方向に長さＬ１で延びている。等径部２１ａは、側部カバー２１のシャフト軸方向の後端側の部分を形成している。
【００４９】
テーパ部２１ｂは、等径部２１ａよりもシャフト軸方向の先端側に位置し、かつ、シャフト軸方向の先端側に向かって先細状とされている。テーパ部２１ｂの先端での最小外径Ｄ２は、等径部２１ａの外径Ｄ１よりも小さく、かつ、シャフト２の第１端２ａでの内径Ｄ４よりも小さく構成されている。このように構成された側部カバー２１は、テーパ部２１ｂにより、シャフト２へ差し込みやすくなり、装着作業性が向上する。
【００５０】
特に好ましい態様では、テーパ部２１ｂのシャフト軸方向の長さＬ２は、等径部２１ａのシャフト軸方向の長さＬ１よりも大きく構成され、より好ましくは１．５倍以上である。これにより、シャフト２への錘部材５の装着作業性がさらに向上する。
【００５１】
側部カバー２１のシャフト軸方向の長さ（すなわち、本実施形態では、Ｌ１＋Ｌ２）は、大きすぎると、装着作業性が悪化する他、錘部材５の重心が、シャフト２の第１端２ａから遠ざかる傾向がある。このような観点より、側部カバー２１のシャフト軸方向の長さは、５０mm以下、より好ましくは５〜４０mmとされるのが望ましい。これにより、錘部材５の重量を、シャフト２の第１端２ａ側に集中的に配分することができる。
【００５２】
また、等径部２１ａの外径Ｄ１は、シャフト２の第１端２ａでの前記内径Ｄ４と実質的に同一（例えば、Ｄ４±０．１mmの範囲で以下同様である。）とされるのが望ましい。一般に、シャフト２の内周面２ｉは、第１端２ａから第２端２ｂに向かってテーパ状とされているため、上述のように外径Ｄ１と長さＬ１とを有する等径部２１ａは、シャフト２の内周面２ｉと接触し、等径部２１ａが部分的に圧縮される。
【００５３】
したがって、錘部材５は、シャフト２の内周面２ｉとの接触摩擦、及び、カバー２０の弾性圧縮変形に伴う反発力により、シャフト２の内周面２ｉで保持される。これは、錘部材５のシャフト軸方向の移動を抑制するのに役立つ。さらに、等径部２１ａがシャフト軸方向に一定の長さＬ１を有することにより、シャフト２のシャフト軸方向に亘って密着性が向上する。
【００５４】
また、上記態様では、ゴルフクラブ１のスイング時、フランジ部２３に作用するシャフト軸方向の力が軽減され、錘部材５の入り込みを確実に防止することができる。なお、錘部材５の入り込みを抑制し、かつ、グリップエンドのぐらつきを防止するために、フランジ部２３のシャフト軸方向の厚さｔは、２〜６mmとされるのが望ましい。さらに、フランジ部２３は、図２に示されるように、シャフト２の第１端２ａとグリップ４との間で挟まれ、両部材で保持されることが望ましい。これにより、錘部材のシャフト２への入り込みをさらに確実に抑制することができる。
【００５５】
本実施形態のカバー２０として、好ましくは、ＪＩＳ−Ａ硬さが５０〜７０度の加硫ゴムが採用される。ゴム硬さが上記範囲に規定されることにより、フランジ部２３等に十分な強度を維持させつつ、カバー２０による振動吸収効果を高めて、ゴルフクラブ１の使用フィーリングを向上させることができる。なお、ＪＩＳ−Ａ硬さは、ＪＩＳ−Ｋ６２５３の規定に準拠して、２３℃の環境下、タイプＡのデュロメータによって測定される。
【００５６】
図３及び図４に示されるように、好ましい態様では、カバー２０は、錘本体１０の第２端面１２を覆う第２端部カバー２４をさらに含むことができる。第２端部カバー２４は、錘本体１０を第２端面１２側から支持する。したがって、第２端部カバー２４は、錘本体１０がシャフト２の第２端２ｂ側に脱落するのを防止するのに役立つ。この態様では、第２端部カバー２４に、錘部材５の貫通孔３０を構成するための第２貫通孔２６が形成される。
【００５７】
［変形例１］
図６は、変形例１の錘部材５０の側面図であり、その右半分は断面とされている。この変形例１では、側部カバー２１の表面に、側部カバー２１の変形を促進するための凹凸部４０が形成されている点で、図４の側部カバー２１とは異なる。凹凸部４０は、例えば、側部カバー２１の等径部２１ａに形成されている。
【００５８】
変形例１では、凹凸部４０は、少なくとも１本の溝４１を含む。図６では、２本の溝４１が示されている。各溝４１は、例えば、シャフト円周方向に延びる。好ましい態様では、溝４１は、シャフト円周方向に連続して環状に延びる。
【００５９】
凹凸部４０は、相対的なものとして、溝４１が凹部に相当し、それに隣接する非溝部分４２が凸部に相当する。
【００６０】
凹凸部４０において、溝４１の溝幅や溝深さについては特に限定されるものではないが、いずれも、例えば、０．５〜２．０mmの範囲が望ましい。
【００６１】
凹凸部４０において、非溝部分４２は、等径部２１ａの外径Ｄ１とされる。すなわち、シャフト２の第１端２ａでの内径Ｄ４（図５に示す）と実質的に同一とされる。
【００６２】
錘部材５０のシャフト２への挿入時、凹凸部４０を有する側部カバー２１は、シャフト２の内周面２ｉで圧縮されると、変形が凹凸部４０で促進される。例えば、圧縮変形した側部カバー２１は、凹凸部４０の凹部（溝４１）の空間を減じるように変形が促進され、シャフト２の内周面２ｉに対する摩擦を軽減する。したがって、変形例１の側部カバー２１は、シャフト２への装着作業性をさらに向上させることができる。なお、溝４１の横断面形状などは、様々な態様に変形され得る。
【００６３】
［変形例２］
図７は、変形例２として、錘部材５００の側面図であり、その右半分は断面とされている。この変形例２では、側部カバー２１の表面に、側部カバー２１の変形を促進するための凹凸部４００が形成されている。凹凸部４００は、例えば、側部カバー２１の等径部２１ａに形成されている。
【００６４】
変形例２では、凹凸部４００は、複数の突起４２０を含む。図７では、シャフト円周方向に複数の突起４２０が形成されている。好ましい態様では、突起４２０は、シャフト円周方向に等間隔で形成された突起列をシャフト軸方向に１列又は複数列含むことができる。
【００６５】
凹凸部４００は、相対的なものとして、突起４２０が凸部に相当し、それに隣接する非突起部分４１０が凹部に相当する。
【００６６】
凹凸部４００において、突起４２０を含む位置での最大の外径Ｄ６は、例えば、シャフト２の第１端２ａでの内径Ｄ４よりも大きく形成されており、例えば、前記内径Ｄ４＋（０．２〜０．４）mmが望ましい。一方、凹凸部４００において、非突起部分４１０の外径Ｄ７は、例えば、シャフト２の第１端２ａでの内径Ｄ４よりも小さく形成されており、例えば、前記内径Ｄ４−（０．２〜０．４）mmが望ましい。
【００６７】
錘部材５００のシャフト２への挿入時、凹凸部４００を有する側部カバー２１は、シャフト２の内周面２ｉで圧縮されると、変形が凹凸部４００で促進される。例えば、圧縮変形した側部カバー２１は、凹凸部４００の凹部（非突起部分４１０）の空間を減じるように変形が促進され、シャフト２の内周面２ｉに対する摩擦を軽減する。したがって、変形例２の側部カバー２１は、シャフト２への装着作業性をさらに向上させることができる。なお、突起４２０の形状などは、矩形状やリブ状など、様々な態様に変形されても良い。
【００６８】
以上、本発明のいくつかの実施形態が詳細に説明されたが、本発明は、上記の具体的な実施形態に限定されるものではなく、種々の態様で実施しうるのは言うまでもない。
【００６９】
例えば、上記実施形態では、錘部材５、５０及び５００とシャフト２との間には、接着剤は配されていないが、接着剤等が配されても良い。
【００７０】
また、本明細書において、ある実施形態で説明された要素及びそれらの変形例は、明示がなくても、他の実施形態で示された対応する要素に適用（置換又は付加）することが意図されていると理解されなければならない。また、複数の変形例については、明示がなくても、相互に組み合わせて実施することが可能である。
【実施例】
【００７１】
本発明の効果を確認するために、図４〜７の錘部材が表１の仕様に基づいて複数種類試作され、それらについて以下の試験が行われた。また、比較例として、カバーを有しない金属製の錘部材が試作された。
【００７２】
＜音鳴り試験＞
錘部材が装着されたウッド型ゴルフクラブについて、ゴルフクラブヘッド側を持って、グリップを地面に数回叩きつけ、その際の「ヴィーン」というビビリ音の大きさが、テスターのフィーリングにより、５段階で評価された。数値が大きいほど異音が小さく良好であることを示す。
【００７３】
＜振動吸収性試験＞
ゴルファが、錘部材が装着されたウッド型ゴルフクラブでゴルフボールを打撃し、その打撃時の振動の減衰状況がゴルファーフィーリングにより評価された。評価は、減衰特性が５段階で評価された。数値が大きいほど振動吸収性能が高く良好であることを示す。
【００７４】
＜入り込み試験＞
各実施例及び比較例について、それぞれ、錘部材が装着された５本のウッド型ゴルフクラブを準備し、グリップ側を上にして垂直方向の振動を最大１００００回加えた。そして、振動２０００回毎に５本の中から任意に選ばれた１本のゴルフクラブについて順次グリップを取り外し、錘部材のシャフト内への入り込みが目視により調べた。評価は、入り込みが生じた振動回数に基づいて５段階で評価された。数値が大きいほど、入り込みがなく良好であることを示す。以下は、実施例の共通仕様である。
【００７５】
ゴム状弾性体：シリコーンゴム
等径部の外径Ｄ１：１４．６mm
等径部の長さＬ１：５．０mm
テーパ部の外径Ｄ２：１４．２mm
テーパ部の長さＬ２：１０mm
フランジ部の外径Ｄ３：１６．６mm
シャフトの内径Ｄ４：１４．７mm
【００７６】
テストの結果が表１に示される。
【００７７】
【表１】
2020178968.tif 000003
【００７８】
テストの結果、実施例のゴルフクラブは、音鳴り試験において、良好な性能を示した。また、実施例のゴルフクラブは、振動吸収性能及び入り込みの各試験においても良好な性能を示した。
【符号の説明】
【００７９】
１    ゴルフクラブ
２    シャフト
２ａ  シャフトの第１端
２ｂ  シャフトの第２端
３    ゴルフクラブヘッド
４    グリップ
５、５０、５００  錘部材
８      グリップ
１０    錘本体
１１    第１端面
１２    第２端面
１３    外周面
２０    カバー
２１    側部カバー
２１ａ  等径部
２１ｂ    ：テーパ部
２２  第１端部カバー
２３  フランジ部
２４  第２端部カバー
３０  貫通孔
４０、４００  凹凸部
４１  溝
４２  非溝部分
４１０  非突起部分
４２０  突起
【図１】
2020178968.tif 000004
【図２】
2020178968.tif 000005
【図３】
2020178968.tif 000006
【図４】
2020178968.tif 000007
【図５】
2020178968.tif 000008
【図６】
2020178968.tif 000009
【図７】
2020178968.tif 000010
【手続補正書】
【提出日】令和1年8月23日(2019.8.23)
【手続補正１】
【補正対象書類名】特許請求の範囲
【補正対象項目名】請求項２
【補正方法】変更
【補正の内容】
【請求項２】
前記側部カバーは、前記シャフトに装着される前の状態において、一定の外径でシャフト軸方向に延びる等径部と、前記等径部よりも前記シャフトの前記第２端の側に位置し、かつ、前記第２端に向かって先細となるテーパ部とを含む、請求項１に記載のゴルフクラブ。
【手続補正２】
【補正対象書類名】特許請求の範囲
【補正対象項目名】請求項１４
【補正方法】変更
【補正の内容】
【請求項１４】
前記側部カバーは、一定の外径で軸方向に延びる等径部と、前記等径部よりも前記第２端面の側に位置し、かつ、前記第２端面側に向かって先細となるテーパ部とを含む、請求項１３に記載のゴルフクラブ用の錘部材。